(57)【要約】【課題】複数の導光板による異音の発生及び表示面での表示不具合をなくすることができる導光板装置、該導光板装置を備える光源装置、及び該光源装置を備える表示装置を提供する。【解決手段】入光した光を出光する出光面を有し、並べて配される複数の導光板４１と、該導光板４１夫々を離隔して連結する帯板状の連結体４２とを備える構成とし、導光板４１の熱膨張を連結体４２が抑制し、隣合う導光板４１の間の隙間Ｅを微小にすることができるようにした。【選択図】図７
2010135104.tif 000002
【特許請求の範囲】
【請求項１】
入光した光を出光する出光面を有し、並べて配される複数の導光板と、該導光板夫々を離隔して連結する連結体とを備えることを特徴とする導光板装置。
【請求項２】
前記導光板夫々は、入光する面を揃えて配してある請求項１記載の導光板装置。
【請求項３】
前記連結体は、前記導光板の線膨張係数より小さい線膨張係数を有する請求項１又は２記載の導光板装置。
【請求項４】
前記連結体は前記導光板の非出光面に配してある請求項１から３のいずれか一つに記載の導光板装置。
【請求項５】
前記導光板は入光する面の縁部から延出された結合板部を有し、該結合板部に前記連結体を結合してある請求項１から４のいずれか一つに記載の導光板装置。
【請求項６】
前記導光板は合成樹脂製であり、前記連結体は金属製であり、該連結体が前記導光板に一体に結合されている請求項１から５のいずれか一つに記載の導光板装置。
【請求項７】
隣合う導光板の前記結合板部は一体成形されている請求項５又は６記載の導光板装置。
【請求項８】
前記導光板夫々の入光する面に対向する光源と、請求項１から７のいずれか一つに記載の導光板装置とを備えることを特徴とする光源装置。
【請求項９】
前記光源夫々が並べて実装されている基板を備え、該基板に前記導光板装置の複数を並べて保持してある請求項８記載の光源装置。
【請求項１０】
一側に表示面を有する表示部と、該表示部の他側に配されている請求項８又は９記載の光源装置とを備えることを特徴とする表示装置。
【発明の詳細な説明】
【技術分野】
【０００１】
本発明は一側面から入光した光を一面から出光する導光板を備える導光板装置、これを備える光源装置、及びこれを備える表示装置に関する。
【背景技術】
【０００２】
液晶の表示装置は、液晶パネルの裏側に導光板を配し、該導光板の一側に光源を配してあるエッジライト型と、液晶パネルの裏側に拡散板を配し、該拡散板の裏側に光源を配してある直下ライト型とがある。
【０００３】
エッジライト型の表示装置は、複数の導光板を直交する二方向に並べて配し、導光板夫々の一側に光源を配し、光源夫々に対応する導光板の一面から出光する光が表示パネルを照射するように構成されたものが知られている（例えば、特許文献１参照）。
【特許文献１】特開２００７−２９３３３９号公報
【発明の開示】
【発明が解決しようとする課題】
【０００４】
ところで、特許文献１のように構成された表示装置にあっては、隣合う導光板間の隙間が大きい場合、表示パネルの表示面上に筋状の表示不具合が現れることになるため、前記隙間を微小に設定する必要がある。しかし、導光板は光源が発光する際に発生する熱により熱膨張し、この熱膨張により導光板同士の側面が接触し、異音が発生したり、導光板が湾曲して表示不具合が現れたりすることになるため、前記隙間を微小にするには制限があり、隣合う導光板の間の微小な隙間を一定に保って導光板を組込む作業性の改善策が要望されていた。
【０００５】
本発明は斯かる事情に鑑みてなされたものであり、主たる目的は並べて配される複数の導光板と、該導光板夫々を離隔して連結する連結体とを備えることにより、複数の導光板による異音の発生及び表示不具合をなくすることができる導光板装置、該導光板装置を備える光源装置、及び該光源装置を備える表示装置を提供することにある。
【課題を解決するための手段】
【０００６】
本発明に係る導光板装置は、入光した光を出光する出光面を有し、並べて配される複数の導光板と、該導光板夫々を離隔して連結する連結体とを備えることを特徴とする。
【０００７】
この発明にあっては、複数の導光板は離隔した状態で連結体により連結されているため、隣合う導光板の間の隙間を微小に簡易に設定することができるとともに、導光板の熱膨張を連結体にて抑制することが可能であり、熱膨張による影響が少ない隙間にすることができ、複数の導光板による異音の発生及び表示不具合をなくすることができる。また、複数の導光板を連結体にて連結された状態で組込むことができるため、導光板装置の組込み作業性を高めることができる。
【０００８】
また、本発明に係る導光板装置は、前記導光板夫々は、入光する面を揃えて配してある構成とするのが好ましい。
この発明にあっては、同形の複数の導光板を直交する二方向に並べて配することができるため、比較的大型の光源装置に組込まれる場合においても、複数の導光板を備える導光板装置の組込み作業性を高めることができる。
【０００９】
また、本発明に係る導光板装置は、前記連結体は、前記導光板の線膨張係数より小さい線膨張係数を有する構成とするのが好ましい。
この発明にあっては、導光板の連結部分における熱膨張を連結体にて抑制することができるため、連結体の熱膨張に影響されることなく、隣合う導光板の間の隙間を微小に設定することができる。
【００１０】
また、本発明に係る導光板装置は、前記連結体は前記導光板の非出光面に配してある構成とするのが好ましい。
この発明にあっては、入光及び出光に影響を及ぼすことなく導光板を連結体にて連結することができ、導光性を保つことができる。
【００１１】
また、本発明に係る導光板装置は、前記導光板は入光する面の縁部から延出された結合板部を有し、該結合板部に前記連結体を結合してある構成とするのが好ましい。
この発明にあっては、複数の導光板の入光する面を簡易に揃えることができるとともに、入光及び出光に影響を及ぼすことなく導光板を連結体にて連結することができ、導光性をより一層保つことができる。
【００１２】
また、本発明に係る導光板装置は、前記導光板は合成樹脂製であり、前記連結体は金属製であり、該連結体が前記導光板に一体に結合されている構成とするのが好ましい。
この発明にあっては、導光板が成形される成形型のキャビティに連結体を収容配置し、溶融された合成樹脂材料をキャビティに注入することにより一体に連結することができるため、隣合う導光板の間の隙間を微小に簡易に設定することができるとともに、複数の導光板を簡易に連結することができ、導光板装置のコストを低減できる。また、導光板夫々の剛性を高めることができ、導光板装置の耐久性を高めることができる。
【００１３】
また、本発明に係る導光板装置は、隣合う導光板の前記結合板部は一体成形されている構成とするのが好ましい。
この発明にあっては、隣合う導光板の連結体にて連結される結合板部同士は一体に連なっているため、隣合う導光板の間の隙間を微小に簡易に設定することができ、隣合う導光板同士が熱膨張により接触するのを防ぐことができる。
【００１４】
また、本発明に係る光源装置は、前記導光板夫々の入光する面に対向する光源と、前述した発明の導光板装置とを備えることを特徴とする。
この発明にあっては、複数の光源に対する導光板の位置合わせを簡易にできる。また、隣合う導光板の間の隙間を微小に簡易に設定することができるとともに、熱膨張にて導光板同士が接触するのを防ぐことができる。また、複数の導光板を連結体にて連結された状態で組込むことができるため、導光板装置の組込み作業性を高めることができる。
【００１５】
また、本発明に係る光源装置は、前記光源夫々が並べて実装されている基板を備え、該基板に前記導光板装置の複数を並べて保持してある構成とするのが好ましい。
この発明にあっては、複数の光源が実装されている基板と複数の導光板とがモジュールを構成するため、比較的大型の光源装置に組込まれる場合においても、導光板装置の組込み作業性を高めることができる。
【００１６】
また、本発明に係る表示装置は、一側に表示面を有する表示部と、該表示部の他側に配されている前述した発明の光源装置とを備えることを特徴とする。
この発明にあっては、比較的大型であっても表示部の色むら、及び輝度むらを低減できるとともに、複数の導光板による異音の発生及び表示不具合をなくすることができる。
【発明の効果】
【００１７】
本発明によれば、複数の導光板は離隔した状態で連結体により連結されているため、隣合う導光板の間の隙間を微小に簡易に設定することができるとともに、複数の導光板による異音の発生及び表示不具合をなくすることができ、また、複数の導光板を連結体にて連結された状態で組込むことができるため、導光板装置の組込み作業性を高めることができる。
【発明を実施するための最良の形態】
【００１８】
実施の形態１
以下本発明をその実施の形態を示す図面に基づいて詳述する。図１は本発明に係る表示装置の構成を示す縦断側面図、図２は表示装置の構成を示す一部を省略した背面図である。
【００１９】
図示した表示装置は、テレビ画像を表示する表示面１１ａを前側（表側）に有し、略直方体をなす表示部Ａと、該表示部Ａの後側（裏側）に配され、略直方体をなす光源部Ｂ（光源装置）と、該光源部Ｂ及び表示部Ａの間に配され、周縁部が光源部Ｂに支持される拡散板Ｃと、該拡散板Ｃに積層される光学シートＤと、表示部Ａの周縁部及び光源部Ｂの後側を隠蔽するキャビネットと、光源部Ｂの後面に取付けられ、起立状態で支持するスタンドとを備える液晶テレビジョン、換言すれば液晶表示装置である。
【００２０】
図３は光源部の構成を示す模式的分解図、図４は光源部の構成を示す模式的正面側斜視図、図５は光源部の構成を示す模式的断面図である。
光源部Ｂは、碁盤目のように並置される光源としての複数の発光ダイオード２と、該発光ダイオード２を実装してあり、格子状に並置される複数の発光ダイオード基板３と、隣合う発光ダイオード基板３に両端が接続されるフレキシブルプリント基板と、該発光ダイオード基板３に対応して並置され、発光ダイオード２が発光した光を拡散板Ｃの面方向へ導く複数の導光板４１と、該導光板４１夫々を離隔して連結する連結体４２と、該連結体４２、導光板４１及び発光ダイオード基板３を収容支持する支持体５とを備える。尚、導光板４１及び連結体４２が導光板装置４を構成している。
【００２１】
発光ダイオード基板３は略直方形をなし、一面に複数の発光ダイオード２を長手方向及び幅方向に並べて実装してあり、支持体５の後記する収容凹部内に取付けられている。
【００２２】
発光ダイオード２は図３(a) に示すように前記長手方向に例えば８個、前記幅方向に例えば４個、合計で３２個実装してあり、長手方向一列の発光ダイオード２に対応して１個の導光板装置４、合計４個の導光板装置４を配してあり、また、前記長手方向一列の発光ダイオード２に対応して１枚の反射板６、合計４枚の反射板６を配してある。
【００２３】
１つの発光ダイオード基板３と導光板装置４との関係は図３(b) に示すように構成されており、図４に示すように支持体５の前面に上下方向及び横方向に並べて配置されている。発光ダイオード基板３には、該発光ダイオード基板３を雄螺子にて支持体５に取付けるための複数の貫通孔と、導光板４１の発光ダイオード２に対する位置を決める位置決め孔と、導光板４１を止具７にて発光ダイオード基板３に取付けるための嵌合孔３１とが開設されている。また、発光ダイオード基板３の発光ダイオード２夫々に臨む部分には反射層３２がシルク印刷により形成されている。
【００２４】
並置された発光ダイオード基板３において、前記長手方向一列の発光ダイオード基板３は、隣合う２つ同士がフレキシブルプリント基板にて接続され、一端の発光ダイオード基板３が後記する電源回路基板にフレキシブルプリント基板にて接続され、他端の発光ダイオード基板３が後記する制御回路基板にフレキシブルプリント基板にて接続されている。
【００２５】
図６は導光板装置の構成を示す斜視図、図７は導光板装置の一部を拡大した斜視図、図８は図７のVIII−VIII線の拡大断面図、図９は導光板の構成を示す斜視図、図１０は連結体の構成を示す斜視図である。
【００２６】
導光板装置４は、横方向に並べて配される８個の合成樹脂製の導光板４１と、該導光板４１夫々を離隔して連結する金属板製の帯状をなす連結体４２とを備え、横長の略直方体をなしている。
【００２７】
導光板４１は縦長の略直方体をなし、拡散板Ｃと対向する一面に、一側の入光面４１ａに入光した光を入光面４１ａとほぼ直交する方向へ照射する出光面４１ｂ、及び該出光面４１ｂに連なる非出光面４１ｃを有し、他面に反射板６が設けられており、発光ダイオード２の一側と対向する位置に入光面４１ａを配してある。具体的には、長手方向一方側の一面が発光ダイオード基板３と平行の扁平な出光面４１ｂ、長手方向他方側の一面が発光ダイオード基板３に対して傾斜する非出光面４１ｃ、及び他面が発光ダイオード基板３に対して傾斜する傾斜面になっており、長手方向他方の入光面４１ａの縁部から結合板部４１ｄが延出されている。また、非出光面４１ｃ側の他面には前記発光ダイオード基板３の位置決め孔に嵌合される位置決め凸部４１ｅが設けられており、また、他面の傾斜面に反射板６が貼付けられている。
【００２８】
導光板４１は１mm程度の比較的小さい隙間Ｅにて横方向へ離隔しており、また、隣合う二つの導光板４１は、図９に示すように結合板部４１ｄが一体に成形されて連なっており、図６に示すように四つの導光板群４３を構成している。導光板群４３は前記隙間Ｅにて離隔した状態で結合板部４１ｄが連結体４２により連結されている。
【００２９】
結合板部４１ｄは前記一面及び他面から窪んでおり、他面側の窪み部に連結体４２が配されている。
【００３０】
連結体４２は、導光板４１の線膨張係数より小さい線膨張係数を有し、０．５mm程度の比較的薄肉の帯状をなす金属板からなり、導光板４１夫々の結合板部４１ｄと対応する箇所に結合用孔４２ａが開設されている。この連結体４２は導光板４１の成形時、結合用孔４２ａ部分が一体に結合されている。この結合は、導光板４１に対応するキャビティを有する形成型のキャビティに連結体４２を収容配置し、ポリカーボネート樹脂、アクリル樹脂等の溶融された合成樹脂材料をキャビティに注入することにより、合成樹脂材料が連結体４２の結合用孔４２ａに充填され、この充填にて形成される凸部４１ｆにより結合される。
【００３１】
導光板４１夫々の結合板部４１ｄ及び連結体４２には、入光面４１ａが内面の一部を構成する四角形の収容孔４４と、止具７が挿通される挿通孔４５と、発光ダイオード基板３を取付けるための雄螺子の頭部を収容する凹部４６とが設けられている。また、導光板群４３における結合板部４１ｄの連なり部分には、発光ダイオード２の発光の有無を検出するセンサを収容するための収容孔４７が設けられている。尚、挿通孔４５は連結体４２にだけ開設されている構成であってもよい。
【００３２】
導光板４１は一面の傾斜する非出光面４１ｃと、隣合う導光板４１における出光面４１ｂ側の他面とを重ねて複数の縦列に配され、導光板４１夫々の出光面４１ｂは発光ダイオード基板３夫々に対して等距離の面一となり、隣合う縦列の間は前記した隙間Ｅにて離隔する。複数列に配された導光板４１夫々は止具７により発光ダイオード基板３に固定される。
【００３３】
止具７は、離隔して対向する二つのピン７２と、該ピン７２の一端を連結する連結板７１とを有し、隣合う導光板群４３の挿通孔４５から嵌合孔３１へピン７２を嵌入することにより導光板４１を発光ダイオード基板３に固定するように構成されている。
【００３４】
支持体５は金属板を四角形の浅皿状に成形してなり、発光ダイオード基板３及び導光板装置４を収容する収容凹部５１及び該収容凹部５１の周縁に連なり拡散板Ｃの周縁部を支持する環板部５２とを有し、収容凹部５１内に発光ダイオード基板３が装着され、環板部５２に拡散板Ｃが載置され、該拡散板Ｃの全周縁部に表示部Ａが載置される。
【００３５】
収容凹部５１は、発光ダイオード基板３に保持されている導光板装置４夫々の出光面４１ｂ部分の高さとほぼ等しい深さに形成され、環板部５２にて支持する拡散板Ｃの一面と導光板装置４夫々の出光面４１ｂとが接触するようになしてある。
【００３６】
収容凹部５１における後面の横方向一側部には、発光ダイオード基板３のドライバに電圧を供給する電源回路基板８が取付けられており、横方向他側部には、前記ドライバを制御する制御回路基板９が取付けられている。また、収容凹部５１における後面の横方向中央部には表示部Ａに電圧を供給する電源回路基板１０、表示部Ａの表示面１１ａに表示される画像を処理する端子回路基板２０、表示部Ａを制御する制御回路基板２１等の複数の回路基板が取付けられている。
【００３７】
拡散板Ｃは発光ダイオード２が発光した光を拡散するもので、積層された比較的厚肉の二枚を有し、表示部Ａに対応して略直方形に形成されている。
【００３８】
光学シートＤは、光源部Ｂが発光した光を拡散する反射偏光シート、プリズムシート、拡散シート等の比較的薄肉で、透光性及び可撓性を有する合成樹脂シートからなり、表示部Ａに対応して略直方形に形成されている。
【００３９】
表示部Ａは、略直方体をなし、前後側に偏光板が貼着されている表示パネル１１と、該表示パネル１１の周縁部を前後で挾持して保持する前保持枠体１２及び後保持枠体１３とを有する。
【００４０】
前保持枠体１２は、表示パネル１１の周縁部前面に対向する矩形の環板部１２ａ及び環板部１２ａの外縁から後方へ延出されている枠部１２ｂを有し、金属板を成形してなる。環板部１２ａの内縁側に、表示パネル１１の周縁部を弾性的に支える帯状の弾性体１４が貼着されている。
【００４１】
後保持枠体１３は、断面四角形をなす基環部１３ａと、該基環部１３ａの内面から内向きに突出し、表示パネル１１の周縁部後面及び拡散板Ｃの周縁部に対向する環板部１３ｂとを有し、合成樹脂材を成形してなる。
【００４２】
環板部１３ｂの表示パネル１１と対向する面には表示パネル１１の周縁部を弾性的に支える帯状の弾性体１５が貼着されている。また、前保持枠体１２及び後保持枠体１３は、環板部１２ａ及び基環部１３ａに開設された貫通孔に挿入される雄螺子にて結合され、表示パネル１１が挾着保持されている。また、環板部１２ａ及び基環部１３ａには取付孔が開設されており、該取付孔に挿入される雄螺子にて支持体５の環板部５２に表示部Ａが取付けられている。
【００４３】
キャビネットは、表示部Ａの周縁部前側及び周縁部外周りを隠蔽する枠状のキャビネット前分体と、光源部Ｂの後側を隠蔽するキャビネット後分体とを備える。
【００４４】
以上のように構成された表示装置の組立ては例えば次の(1) 〜(6) の工程で行う。
(1) 作業台上に前面を上向にして平置きされた支持体５の収容凹部５１内に発光ダイオード基板３が上下方向及び横方向に並べて配置され、複数本の雄螺子にて収容凹部５１に固定される。
(2) 発光ダイオード基板３夫々の上に導光板装置４が上下方向に並べて載置され、導光板装置４夫々が止具７にて発光ダイオード基板３に固定され、光源装置を構成する光源部Ｂが形成される。この際、導光板装置４における一面の非出光面４１ｃと、隣合う導光板装置４における出光面４１ｂ側他面とが重なり、隣合う導光板装置４における一面の出光面４１ｂ間はごく僅かな隙間となる。また、導光板装置４夫々における出光面４１ｂは環板部５２とほぼ等しい高さとなる。
(3) 支持体５における環板部５２に拡散板Ｃが載置され、該拡散板Ｃ上に光学シートＤが積層される。
(4) 別の作業台上に搬送された後、表示部Ａの後保持枠体１３を下向きにした状態で支持体５における環板部５２に表示部Ａが載置される。
(5) 前保持枠体１２及び後保持枠体１３に開設されている取付孔に挿入される雄螺子を、支持体５の環板部５２に開設されている取付孔に捩込むことにより表示部Ａが支持体５に装着される。この際、後保持枠体１３の環板部１３ｂが拡散板Ｃの周縁部に接触し、拡散板Ｃは環板部５２に固定される。
(6) スタンドにより表示部Ａ及び光源部Ｂが作業台上に起立された後、表示部Ａの前側にキャビネット前分体が被嵌され、光源部Ｂの後側にキャビネット後分体が被嵌される。
【００４５】
以上のように導光板装置４は、横方向に並べて配される複数の導光板４１が離隔して連結体４２により連結されているため、隣合う導光板４１の間の隙間Ｅを、導光板４１の熱膨張により互いに接触せず、且つ表示部Ａの表示面１１ａ上に筋状の表示不具合が現れることのない大きさに簡易に設定することができ、しかも、導光板４１が組込まれた際においても前記隙間Ｅを保持することができるため、複数の導光板４１の組込み作業性を高めることができる。また、導光板装置４は複数の導光板４１が連結体４２にて連結されているため、表示部Ａの大きさに対する導光板装置４の個数を低減でき、導光板４１の組込み作業性をより一層高めることができる。
【００４６】
実施の形態２
図１１は本発明に係る導光板装置の他の構成を示す斜視図である。
この導光板装置４は、二つの導光板４１の結合板部４１ｄが一体成形された導光板群４３を連結体４２が連結している構成とする代わりに、全体が離隔された複数の導光板４１を連結体４２が連結している構成としたものである。
【００４７】
この実施の形態にあっては、導光板４１夫々の全体が離隔しており、一体に連なる部分がないため、導光板４１の熱膨張をより一層抑制することができる。
【００４８】
尚、以上説明した実施の形態では、導光板４１に結合板部４１ｄを設け、該結合板部４１ｄを連結体４２にて連結する構成としたが、その他、結合板部４１ｄをなくし、導光板４１の他面又は非出光面４１ｃを連結体４２にて連結する構成としてもよく、連結体４２による連結箇所は特に制限されない。また、導光板４１が結合板部４１ｄを有する場合、該結合板部４１ｄの他面側を連結する構成とする他、結合板部４１ｄの一面側を連結する構成としてもよいし、また、結合板部４１ｄの一面側及び他面側を連結する構成としてもよい。
【００４９】
また、以上説明した実施の形態では、帯状をなす金属板製の連結体４２を備える構成としたが、その他、連結体４２は導光板４１の線膨張係数より小さい線膨張係数を有する材料にて形成されたものであればよく、その材料及び形状は特に制限されない。
【００５０】
また、以上説明した実施の形態では、導光板４１が成形される成形型のキャビティ内で連結体４２を結合する構成、換言するとインサート成形にて結合する構成としたが、その他、連結体４２は接着剤、溶着等にて結合する構成としてもよい。
【００５１】
また、以上説明した実施の形態では、例えば８個の導光板４１を一つの連結体４２が連結している構成としたが、その他、導光板４１が並べられる方向へ離隔する複数の連結体４２にて導光板４１夫々を連結する構成としてもよい。この場合、隣合う連結体４２，４２の端縁間に導光板４１の未連結部があると、この未連結部の熱膨張を連結体４２にて抑制することができないため、隣合う連結体４２，４２の端縁同士を当接させて導光板４１の連結部分の熱膨張を連結体４２，４２にて抑制するか、又は、隣合う連結体４２，４２の端縁間の離隔距離をできるだけ短くし、前記未連結部の熱膨張を連結体４２，４２にてできるだけ抑制するのが好ましい。また、連結体４２が複数である場合、導光板４１は、図７に示すように導光板群４３である他、導光板４１夫々が離隔する構成であってもよい。
【００５２】
また、以上説明した実施の形態では、上下に列をなして並置された複数の導光板装置４を備える構成としたが、その他、導光板装置４は横方向に列をなして並置される構成としてもよく、導光板装置４の列をなす方向は特に制限されない。
【図面の簡単な説明】
【００５３】
【図１】本発明に係る表示装置の構成を示す縦断側面図である。
【図２】本発明に係る表示装置の構成を示す一部を省略した背面図である。
【図３】本発明に係る表示装置の光源部の構成を示す模式的分解図である。
【図４】本発明に係る表示装置の光源部の構成を示す模式的正面側斜視図である。
【図５】本発明に係る表示装置の光源部の構成を示す模式的断面図である。
【図６】本発明に係る導光板装置の構成を示す斜視図である。
【図７】本発明に係る導光板装置の一部を拡大した斜視図である。
【図８】図７のVIII−VIII線の拡大断面図である。
【図９】本発明に係る導光板装置の導光板の構成を示す斜視図である。
【図１０】本発明に係る導光板装置の連結体の構成を示す斜視図である。
【図１１】本発明に係る導光板装置の他の構成を示す斜視図である。
【符号の説明】
【００５４】
Ａ    表示部
Ｂ    光源部（光源装置）
２    発光ダイオード（光源）
３    発光ダイオード基板（基板）
４    導光板装置
４１  導光板
４１ａ  入光面
４１ｂ  出光面
４１ｄ  結合板部
４２  連結体
１１ａ  表示面
【図１】
2010135104.tif 000003
【図２】
2010135104.tif 000004
【図３】
2010135104.tif 000005
【図４】
2010135104.tif 000006
【図５】
2010135104.tif 000007
【図６】
2010135104.tif 000008
【図７】
2010135104.tif 000009
【図８】
2010135104.tif 000010
【図９】
2010135104.tif 000011
【図１０】
2010135104.tif 000012
【図１１】
2010135104.tif 000013